【手続補正書】
【提出日】平成21年9月30日(2009.9.30)
【手続補正１】
【補正対象書類名】特許請求の範囲
【補正対象項目名】全文
【補正方法】変更
【補正の内容】
【特許請求の範囲】
【請求項１】
入力画像データに基づいて画像を像担持体上に形成する画像形成装置において、
複写装置によって複写したときに出力画像として再現されるように第１の画像形成条件に基づいて形成される潜像部と、前記複写装置によって複写したときに出力画像として再現されないように前記第１の画像形成条件と異なる第２の画像形成条件に基づいて形成される背景部と、を含む地紋画像を前記像担持体上に形成する画像形成手段と、
前記画像形成手段に、前記第１の画像形成条件に基づいて前記潜像部の濃度を補正するための複数の階調を有する第１のテストパターンを前記像担持体上に形成させ、前記第２の画像形成条件に基づいて前記背景部の濃度を補正するための複数の階調を有する第２のテストパターンを前記像担持体上に形成させる制御手段と、
前記像担持体上に形成された前記第１のテストパターンおよび前記第２のテストパターンの濃度を検出する濃度検出手段と、
前記濃度検出手段による前記第１のテストパターンの濃度検出結果および前記第２のテストパターンの濃度検出結果とに基づいて、前記画像形成手段によって形成される前記潜像部と前記背景部との濃度差が低減されるように、前記像担持体上に形成する前記潜像部の濃度および前記背景部の濃度の少なくとも一方を補正する補正手段と、を有し、
前記画像形成手段が前記地紋画像を形成する場合、前記地紋画像を形成する前に前記制御手段は前記画像形成手段に前記第１のテストパターン及び前記第２のテストパターンを前記像担持体上に形成させ、前記補正手段は、前記濃度検出手段による前記像担持体上に形成された前記第１のテストパターンおよび前記第２のテストパターンの濃度検出結果に基づいて前記潜像部の濃度および前記背景部の濃度の少なくとも一方を補正することを特徴とする画像形成装置。
【請求項２】
前記画像形成装置は、複数の色材を用いて前記像担持体上に画像を形成する画像形成装置であって、
前記画像形成手段は、前記複数の色材それぞれに対応する複数の画像形成部を有し、
前記制御手段は、前記画像形成手段に前記複数の色材それぞれに関して前記第１のテストパターンおよび前記第２のテストパターンを形成させ、
前記補正手段は、前記濃度検出手段による前記複数の色材それぞれの前記第１のテストパターンおよび前記第２のテストパターンの濃度検出結果に基づいて、前記複数の色材それぞれに関して前記潜像部の濃度および前記背景部の濃度の少なくとも一方を補正することを特徴とする請求項１記載の画像形成装置。
【請求項３】
前記画像形成手段は、前記像担持体上にトナー像を形成する画像形成手段であって、前記濃度検出手段は、前記画像形成手段によって前記像担持体上にトナー像として形成される前記第１のテストパターンおよび前記第２のテストパターンの濃度を検出することを特徴とする請求項１記載の画像形成装置。
【請求項４】
前記補正手段は、前記画像形成手段によって前記潜像部が前記背景部よりも高い解像度で形成される場合、前記潜像部の濃度を補正し、前記画像形成手段によって前記背景部が前記潜像部よりも高い解像度で形成される場合、前記背景部の濃度を補正することを特徴とする請求項１画像形成装置。
【請求項５】
前記補正手段は、前回前記潜像部の濃度および前記背景部の濃度の少なくとも一方を補正してからの画像形成された記録媒体の枚数及び経過時間の少なくとも１つに応じて、前記潜像部の濃度および前記背景部の濃度の少なくとも一方を補正するか否かを決定することを特徴とする請求項１記載の画像形成装置。
【請求項６】
前記画像形成手段が前記地紋画像を形成する場合、前記地紋画像を形成する前に前記補正手段により前記潜像部の濃度および前記背景部の濃度を補正するか否かを設定する設定手段をさらに備え、前記設定手段によって当該補正をしないと設定された場合、前記画像形成手段が前記地紋画像を形成する際に、当該補正を行うための前記第１のテストパターン及び前記第２のテストパターンを形成せずに前記地紋画像を前記像担持体上に形成することを特徴とする請求項１記載の画像形成装置。
【請求項７】
前記補正手段は、前記潜像部の濃度および前記背景部の濃度の少なくとも一つを補正するために、前記濃度検出手段による前記第１のテストパターンの検出結果および前記第２のテストパターンの濃度検出結果とに基づいて、前記潜像部を形成するための画像データおよび前記背景部を補正するための画像データの少なくとも一方を変更することを特徴とする請求項１乃至６のいずれか１項に記載の画像形成装置。
【請求項８】
複写装置によって複写したときに出力画像として再現されるように第１の画像形成条件に基づいて形成される潜像部と、前記複写装置によって複写したときに出力画像として再現されないように前記第１の画像形成条件と異なる第２の画像形成条件に基づいて形成される背景部と、を含む地紋画像を像担持体上に形成する画像形成方法において、
前記第１の画像形成条件に基づいて前記潜像部の濃度を補正するための複数の階調を有する第１のテストパターンを前記像担持体上に形成する第１のテストパターン形成ステップと、
前記第２の画像形成条件に基づいて前記背景部の濃度を補正するための複数の階調を有する第２のテストパターンを前記像担持体上に形成する第２のテストパターン形成ステップと、
前記像担持体上に形成された前記第１のテストパターンおよび前記第２のテストパターンの濃度を検出する濃度検出ステップと、
前記濃度検出ステップにおける前記第１のテストパターンの濃度検出結果および前記第２のテストパターンの濃度検出結果とに基づいて、前記形成される前記潜像部と前記背景部との濃度差が低減されるように、前記像担持体上に形成する前記潜像部の濃度および前記背景部の濃度の少なくとも一方を補正する補正ステップと、
前記補正ステップにおいて補正された前記潜像部の濃度および前記背景部の濃度で前記像担持体上に前記地紋画像を形成する画像形成ステップと、を有することを特徴とする画像形成方法。
【請求項９】
コンピュータに請求項８に記載の画像形成方法を実行させるためのプログラム。
【請求項１０】
請求項９に記載のプログラムを記録したコンピュータ読み取り可能な記録媒体。
【手続補正２】
【補正対象書類名】明細書
【補正対象項目名】発明の名称
【補正方法】変更
【補正の内容】
【発明の名称】画像形成装置及びその方法、プログラム、並びに記録媒体
【手続補正３】
【補正対象書類名】明細書
【補正対象項目名】０００１
【補正方法】変更
【補正の内容】
【０００１】
本発明は、画像形成装置及びその方法、プログラム、並びに記録媒体に関し、文書の背景に偽造抑止地紋を印刷する画像形成装置及びその方法、プログラム、並びに記録媒体に関する。
【手続補正４】
【補正対象書類名】明細書
【補正対象項目名】００１４
【補正方法】変更
【補正の内容】
【００１４】
本発明の目的は、潜像部と背景部とで視覚的な濃度差が少ない地紋画像を出力することができる画像形成装置及びその方法、プログラム、並びに記録媒体を提供することにある。
【手続補正５】
【補正対象書類名】明細書
【補正対象項目名】００１５
【補正方法】変更
【補正の内容】
【００１５】
上述の目的を達成するために、請求項１記載の画像形成装置は、入力画像データに基づいて画像を像担持体上に形成する画像形成装置において、複写装置によって複写したときに出力画像として再現されるように第１の画像形成条件に基づいて形成される潜像部と、前記複写装置によって複写したときに出力画像として再現されないように前記第１の画像形成条件と異なる第２の画像形成条件に基づいて形成される背景部と、を含む地紋画像を前記像担持体上に形成する画像形成手段と、前記画像形成手段に、前記第１の画像形成条件に基づいて前記潜像部の濃度を補正するための複数の階調を有する第１のテストパターンを前記像担持体上に形成させ、前記第２の画像形成条件に基づいて前記背景部の濃度を補正するための複数の階調を有する第２のテストパターンを前記像担持体上に形成させる制御手段と、前記像担持体上に形成された前記第１のテストパターンおよび前記第２のテストパターンの濃度を検出する濃度検出手段と、前記濃度検出手段による前記第１のテストパターンの濃度検出結果および前記第２のテストパターンの濃度検出結果とに基づいて、前記画像形成手段によって形成される前記潜像部と前記背景部との濃度差が低減されるように、前記像担持体上に形成する前記潜像部の濃度および前記背景部の濃度の少なくとも一方を補正する補正手段と、を有し、前記画像形成手段が前記地紋画像を形成する場合、前記地紋画像を形成する前に前記制御手段は前記画像形成手段に前記第１のテストパターン及び前記第２のテストパターンを前記像担持体上に形成させ、前記補正手段は、前記濃度検出手段による前記像担持体上に形成された前記第１のテストパターンおよび前記第２のテストパターンの濃度検出結果に基づいて前記潜像部の濃度および前記背景部の濃度の少なくとも一方を補正することを特徴とする。
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】変更
【補正の内容】
【００１７】
請求項８記載の画像形成方法は、複写装置によって複写したときに出力画像として再現されるように第１の画像形成条件に基づいて形成される潜像部と、前記複写装置によって複写したときに出力画像として再現されないように前記第１の画像形成条件と異なる第２の画像形成条件に基づいて形成される背景部と、を含む地紋画像を像担持体上に形成する画像形成方法において、前記第１の画像形成条件に基づいて前記潜像部の濃度を補正するための複数の階調を有する第１のテストパターンを前記像担持体上に形成する第１のテストパターン形成ステップと、前記第２の画像形成条件に基づいて前記背景部の濃度を補正するための複数の階調を有する第２のテストパターンを前記像担持体上に形成する第２のテストパターン形成ステップと、前記像担持体上に形成された前記第１のテストパターンおよび前記第２のテストパターンの濃度を検出する濃度検出ステップと、前記濃度検出ステップにおける前記第１のテストパターンの濃度検出結果および前記第２のテストパターンの濃度検出結果とに基づいて、前記形成される前記潜像部と前記背景部との濃度差が低減されるように、前記像担持体上に形成する前記潜像部の濃度および前記背景部の濃度の少なくとも一方を補正する補正ステップと、前記補正ステップにおいて補正された前記潜像部の濃度および前記背景部の濃度で前記像担持体上に前記地紋画像を形成する画像形成ステップと、を有することを特徴とする。
【手続補正８】
【補正対象書類名】明細書
【補正対象項目名】００１８
【補正方法】削除
【補正の内容】
【手続補正９】
【補正対象書類名】明細書
【補正対象項目名】００１９
【補正方法】変更
【補正の内容】
【００１９】
請求項９記載のプログラムは、コンピュータに請求項８に記載の画像形成方法を実行させるためのプログラムであることを特徴とする。
請求項１０記載の記録媒体は、請求項９に記載のプログラムを記録したコンピュータ読み取り可能な記録媒体であることを特徴とする。
【手続補正１０】
【補正対象書類名】明細書
【補正対象項目名】００２０
【補正方法】変更
【補正の内容】
【００２０】
本発明によれば、画像形成手段が地紋画像を形成する前に、地紋画像に含まれる潜像部及び背景部の濃度を補正するためのテストパターンのキャリブレーションを行い、潜像部の濃度及び背景部の濃度差が低減されるように、潜像部の濃度及び背景部の濃度の少なくとも１つを補正するので、潜像部と背景部とで視覚的な濃度差が少ない地紋画像を出力することができる。